【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
室外機と室内機とからなる空気調和機において、
前記室外機は、室外温度を検出する室外温度検出部を有し、
前記室内機は、室内温度を検出する室内温度検出部と、制御部と、音声発生部と、を有し、
前記制御部は、前記空気調和機の動作状態を制御するとともに、前記室外温度検出部で検出した室外温度と、前記室内温度検出部で検出した室内温度もしくは設定温度と、前記空気調和機の動作状態と、に基づいて空気調和機の消費電力量を低減できる方法があるかどうかを判定する省エネ判定手段を有し、
前記省エネ判定手段が消費電力量を低減できる方法があると判定したときに、前記音声発生部は、音声にて省エネを喚起することを特徴とする空気調和機。
【請求項２】
室外機と室内機とからなる空気調和機において、
前記室外機は、室外温度を検出する室外温度検出部を有し、
前記室内機は、室内温度を検出する室内温度検出部と、制御部と、音声発生部と、を有し、
前記制御部は、前記空気調和機の動作状態を制御するとともに、前記室外温度検出部で検出した室外温度と、前記室内温度検出部で検出した室内温度もしくは設定温度と、前記空気調和機の動作状態と、に基づいて空気調和機の消費電力量を低減できる方法があるかどうかを判定する省エネ判定手段を有し、
前記省エネ判定手段が冷房運転中に室外温度が室内温度よりも低いと判定したときに、前記音声発生部は、音声にて省エネを喚起することを特徴とする空気調和機。
【請求項３】
室外機と室内機とからなる空気調和機において、
前記室外機は、室外温度を検出する室外温度検出部を有し、
前記室内機は、室内温度を検出する室内温度検出部と、制御部と、音声発生部と、を有し、
前記制御部は、前記空気調和機の動作状態を制御するとともに、前記室外温度検出部で検出した室外温度と、前記室内温度検出部で検出した室内温度もしくは設定温度と、前記空気調和機の動作状態と、に基づいて空気調和機の消費電力量を低減できる方法があるかどうかを判定する省エネ判定手段を有し、
前記省エネ判定手段が暖房運転中に室外温度が室内温度よりも高いと判定したときに、前記音声発生部は、音声にて省エネを喚起することを特徴とする空気調和機。
【請求項４】
室外温度を検出する室外温度検出部と、
室内温度を検出する室内温度検出部と、
使用者にアナウンスする音声発生部と、
動作制御を行う制御部と、を有する空気調和機において、
前記制御部は、空気調和機の運転中に空気調和機の動作状態と、室外温度と、室内温度もしくは設定温度とを比較し、使用者に省エネを喚起する条件が発生したら、前記音声発生部は音声にて使用者にアナウンスすることを特徴とする空気調和機。
【請求項５】
使用者にアナウンスする表示部をさらに備え、
前記制御部は、空気調和機の運転中に室外温度と、室内温度もしくは設定温度とを比較し、使用者に省エネを喚起する条件が発生したら、前記表示部はアナウンスを表示することを特徴とする請求項４に記載の空気調和機。
【請求項６】
遠隔操作装置を有する空気調和機において、
前記遠隔操作装置は、前記音声発生部と前記表示部の少なくとも一方を有し、
前記制御部は、空気調和機の運転中に室外温度と、室内温度もしくは設定温度とを比較し、使用者に省エネを喚起する条件が発生したら、アナウンスを前記遠隔操作装置に送信し、
前記遠隔操作装置は前記アナウンスを受信したら、使用者にアナウンスする請求項４乃至５に記載の空気調和機。
【手続補正２】
【補正対象書類名】明細書
【補正対象項目名】０００５
【補正方法】変更
【補正の内容】
【０００５】
しかしながら、ユーザに通知する方が望ましいと考えられる状況は、上記の例に限られない。例えば、空気調和機において、空調する室内温度よりも室外温度の方が使用者の所望する温度に近い場合、室内を所望する温度に空調するよりも、窓を開けて室外の空気を取り入れた方が空調に要するエネルギーを削減できる。このような状況を考慮して、使用者の希望に合致してかつ省エネになる空気調和機の使用方法を使用者に通知することが望ましい。
【手続補正３】
【補正対象書類名】明細書
【補正対象項目名】０００７
【補正方法】変更
【補正の内容】
【０００７】
本発明のある局面に従うと、空気調和機は、室外温度を検出する室外温度検出部を有する室外機と、室内温度を検出する室内温度検出部と、制御部と、音声発生部と、を有する室内機と、空気調和機の動作状態を制御するとともに、室外温度検出部で検出した室外温度と、室内温度検出部で検出した室内温度もしくは設定温度と、空気調和機の動作状態と、に基づいて空気調和機の消費電力量を低減できる方法があるかどうかを判定する省エネ
判定手段を備え、省エネ判定手段が消費電力量を低減できる方法があると判定したときに、音声にて省エネを喚起する音声発生部とを備える。
【手続補正４】
【補正対象書類名】明細書
【補正対象項目名】０００８
【補正方法】変更
【補正の内容】
【０００８】
また、本発明の別の局面に従うと、空気調和機は、室外温度を検出する室外温度検出部を有する室外機と、室内温度を検出する室内温度検出部と、制御部と、音声発生部と、を有する室内機と、空気調和機の動作状態を制御するとともに、室外温度検出部で検出した室外温度と、室内温度検出部で検出した室内温度もしくは設定温度と、空気調和機の動作状態と、に基づいて空気調和機の消費電力量を低減できる方法があるかどうかを判定する省エネ判定手段を備え、省エネ判定手段が冷房運転中に室外温度が室内温度よりも低いと判定したときに、音声にて省エネを喚起する音声発生部とを備える。
【手続補正５】
【補正対象書類名】明細書
【補正対象項目名】０００９
【補正方法】変更
【補正の内容】
【０００９】
また、本発明の別の局面に従うと、空気調和機は、室外温度を検出する室外温度検出部を有する室外機と、室内温度を検出する室内温度検出部と、制御部と、音声発生部と、を有する室内機と、空気調和機の動作状態を制御するとともに、室外温度検出部で検出した室外温度と、室内温度検出部で検出した室内温度もしくは設定温度と、空気調和機の動作状態と、に基づいて空気調和機の消費電力量を低減できる方法があるかどうかを判定する省エネ判定手段を備え、省エネ判定手段が暖房運転中に室外温度が室内温度よりも高いと判定したときに、音声にて省エネを喚起する音声発生部とを備える。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】